(57)【要約】【課題】ガスコンロの五徳に調理容器が異常な状態で配置されたり、不使用のガスバーナが蓋体で覆われたりする場合には、ガスバーナを点火できないようにし、調理容器が正常な状態で五徳上に配置されているときにガスバーナを点火することができるガスコンロを提供する。【解決手段】調理容器検知手段６は、ガスバーナ２におけるバーナ部２１の中央部において上方に向けて付勢されて上下動可能に配置される移動体と、五徳３１上に配置された調理容器Ａの底面が正常位置であるときの前記底面に移動体が押し下げられて作動する第１スイッチ７１と、前記正常位置よりも低い異常位置まで移動体が移動したときに作動する第２スイッチ７２とを有する。制御装置４は、第１スイッチ７１が作動したときはガスバーナを燃焼可能状態とし、第２スイッチ７２が作動したときはガスバーナへのガス供給を遮断するように制御する。【選択図】図１
2012083085.tif 000002
【特許請求の範囲】
【請求項１】
ガスバーナ及び五徳を備えるガスコンロにおいて、
五徳上に配置された調理容器の有無を検知する調理容器検知手段と、
ガスバーナへのガス供給量を制御する制御手段とを備え、
調理容器検知手段は、
ガスバーナにおいて上方に向けて付勢されて上下動可能に配置される移動体と、五徳上に配置された調理容器の底面が正常位置であるときの前記底面により移動体が押し下げられて作動する第１スイッチと、前記正常位置よりも低い異常位置まで移動体が移動したときに作動する第２スイッチとを有し、
制御手段は、
調理容器検知手段の第１スイッチが作動したときはガスバーナを燃焼可能状態とし、第２スイッチが作動したときはガスバーナへのガス供給を遮断するように制御することを特徴とするガスコンロ。
【請求項２】
請求項１に記載のガスコンロにおいて、
少なくともガスバーナの天板上から突出する部分を覆うように着脱可能に配置される蓋体を備え、
蓋体は、ガスバーナを覆った状態で配置したときに調理容器検知手段の移動体を異常位置まで移動させる押圧部を有していることを特徴とするガスコンロ。
【発明の詳細な説明】
【技術分野】
【０００１】
本発明は、五徳上に配置された調理容器の有無を検知して、ガスバーナの燃焼を制御するガスコンロに関する。
【背景技術】
【０００２】
従来から、五徳上に配置された調理容器の底部の温度を検出する温度検出手段と、この温度検出手段の構成部に設けられて調理容器の有無を検知する調理容器検知手段とを備えたガスコンロがあり（特許文献１）、ガスバーナへの点火操作中、および、燃焼中に調理容器無しが検知された場合は、ガスバーナの火力を制限するようにしている。
【先行技術文献】
【特許文献】
【０００３】
【特許文献１】特開２００７−４６７９９号公報
【特許文献２】実用新案登録第３１５０７３７号公報
【発明の概要】
【発明が解決しようとする課題】
【０００４】
しかしながら、調理容器検知手段が、調理容器有りを検知した場合でも、調理容器が外径の小さい丸底鍋の場合には、五徳上に安定して配置できず、しかも、鍋底がガスバーナのバーナキャップに異常に接近してしまい、このバーナキャップの空気取り入れ穴を覆ってしまう可能性がある。バーナキャップの空気取り入れ穴が覆われてしまうと燃焼不良が生じるし、また、鍋底がバーナ部に近すぎてバーナ部の周囲に熱が篭ってしまい、調理容器の底部温度を的確に検知できず、温度検出手段が誤作動を起こす可能性もある。
【０００５】
また、使用していないガスバーナに対して、ガスコンロの内部に油や調理くずが入り込まないようにするために、ガスコンロの天板上に、ガスバーナ及び五徳を覆う蓋体を着脱可能に配置したものが提案されている(特許文献２)。
しかしながら、蓋体を配置した状態で、誤ってガスバーナを点火してしまった場合には、ガスバーナが蓋体で覆われた状態で燃焼してしまい、使用者には、燃焼していることが分からず、蓋体が過熱され、さらに、燃焼不良が生じてしまう。
【０００６】
本発明は、上記事情に鑑みてなされたものであり、ガスコンロの五徳に調理容器が異常な状態で配置されたり、不使用のガスバーナが蓋体で覆われたりする場合には、ガスバーナを点火できないようにし、調理容器が正常な状態で五徳上に配置されているときにガスバーナを点火することができるガスコンロを提供することを目的とする。
【課題を解決するための手段】
【０００７】
本発明に係るガスコンロは、ガスバーナ及び五徳を備えるガスコンロにおいて、
五徳上に配置された調理容器の有無を検知する調理容器検知手段と、
ガスバーナへのガス供給量を制御する制御手段とを備え、
調理容器検知手段は、
ガスバーナにおいて上方に向けて付勢されて上下動可能に配置される移動体と、五徳上に配置された調理容器の底面が正常位置であるときの前記底面により移動体が押し下げられて作動する第１スイッチと、前記正常位置よりも低い異常位置まで移動体が移動したときに作動する第２スイッチとを有し、
制御手段は、
調理容器検知手段の第１スイッチが作動したときはガスバーナを燃焼可能状態とし、第２スイッチが作動したときはガスバーナへのガス供給を遮断するように制御することを特徴とするものである。
【０００８】
本発明によれば、外径の小さい丸底鍋などのように、調理容器検知手段の移動体を第１スイッチが作動する正常位置よりも下方の異常位置に移動させる特殊な調理容器を用いて調理しようとすると、調理容器検知手段の第２スイッチが作動して、制御手段によりガスバーナへのガス供給が遮断される。従って、前記特殊な調理容器を用いる場合は、ガスバーナが点火されることはなく、燃焼不良が生じたり、バーナ部の周囲に熱が篭ってしまうことを阻止できる。
そして、通常の調理容器が正常な状態で五徳上に配置されて第１スイッチが作動したときのみ、ガスバーナを燃焼させることができるので、調理容器の底部温度を検出する温度検出器を設けている場合、温度検出器が誤作動を起こすようなことはなく、調理容器をガスバーナの燃焼により適正な温度で加熱することができる。
【０００９】
さらに、本発明に係るガスコンロは、少なくともガスバーナの天板上から突出する部分を覆うように着脱可能に配置される蓋体を備え、蓋体は、ガスバーナを覆った状態で配置したときに調理容器検知手段の移動体を異常位置まで移動させる押圧部を有する構成とすることが好ましい。
【００１０】
このような構成により、ガスバーナの不使用時には、蓋体によってガスコンロの内部に水や油や調理くずなどが入り込まないようにすることができる。そして、ガスバーナを覆う蓋体を配置したときには、蓋体の押圧部により移動体を第２スイッチが作動する異常位置まで押し下げるので、制御手段により、ガスバーナへのガス供給が遮断される。従って、使用者が誤って蓋体が配置された状態でガスバーナを点火操作しても、ガスバーナの点火を阻止できる。
【発明の効果】
【００１１】
以上のように、本発明によれば、調理容器検知手段が、調理容器有りを検知した場合でも、外径の小さい丸底鍋などのように特殊な調理容器が五徳上に配置された場合には、第２スイッチが作動して、制御手段によりガスバーナへのガス供給が遮断されるので、ガスバーナが点火されることはなく、燃焼不良が生じたり、バーナ部の周囲に熱が篭ってしまうことを阻止できる。
そして、通常の調理容器が正常な状態で五徳上に配置された場合には、第１スイッチのみが作動してガスバーナを燃焼させることができるので、調理容器の底部温度を検出する温度検出器を設けている場合、温度検出器が誤作動を起こすようなことはなく、調理容器をガスバーナの燃焼により適正な温度で加熱することができる。
【図面の簡単な説明】
【００１２】
【図１】本発明の実施形態１によるガスコンロの外観構成を示す斜視図である。
【図２】実施形態１によるガスコンロの要部拡大断面図であって、五徳上に調理容器が配置されていない状態を示す。
【図３】実施形態１によるガスコンロの調理容器検出手段の断面図である。
【図４】実施形態１によるガスコンロの要部拡大断面図であって、鍋底の位置が正常位置のときの五徳上に調理容器が配置されている状態を示す。
【図５】実施形態１によるガスコンロの要部拡大断面図であって、鍋底の位置が異常位置のときの五徳上に調理容器が配置されている状態を示す。
【図６】実施形態１によるガスコンロの要部拡大断面図であって、バーナキャップ及びバーナ部が取り除かれた状態で、ガスバーナ上に蓋体が配置されている状態を示す。
【図７】本発明の実施形態２によるガスコンロの外観構成を示す斜視図である。
【図８】実施形態２によるガスコンロの要部拡大断面図であって、ガスバーナ及び五徳を覆うように蓋体が配置されている状態を示す。
【発明を実施するための形態】
【００１３】
(実施形態１)
以下に、本発明の実施形態１について添付図面を参照しながら説明する。
図１に示すように、本実施形態１に係るガスコンロ１ａは、ビルトインタイプに適用したものであり、ガスバーナ２と、ガスバーナ２の周囲に配置される五徳３１と、ガスバーナ２が収納されるコンロ本体部３２と、コンロ本体部３２の上部開口部を覆う天板３３とを備える。コンロ本体部３２は、図示していない上方が開放された矩形箱状のキャビネット内に収納される。なお、ガスコンロ１ａは、図１のように、コンロ本体部３２にガスバーナが1つ設けられたものでもよいし、複数設けられたものでもよい。
【００１４】
ガスコンロ１ａは、図１及び図２に示すように、コンロ本体部３２の上方開放部がガラス製又はホーロー製などの天板３３で被覆され、天板３３の所定の位置に、ガスバーナ２のバーナ部２１を臨ませる開口部３３ａが形成されている。
【００１５】
本実施形態に係るガスコンロ１ａは、ガスコンロ１ａの動作を制御するマイクロコンピュータ等で構成された制御装置４を備えている。制御装置４は、後述する調理容器検知手段６により五徳３１の上に調理容器Ａが無いことが検出されている場合にはガスバーナ２を点火させない制御を行なう。また、調理容器検知手段６により五徳３１の上に調理容器Ａが配置されていることが検出されていても、調理容器Ａの底面が五徳３１の上端よりかなり低い異常位置になる場合にも、ガスバーナ２を点火させない制御を行なう。
【００１６】
天板３３における、使用者側となる正面側の端部には、ガスバーナ２の点火・消火などの操作を行なうための操作部３３ｂが設けられている。この操作部３３ｂは、タッチパネル式になっており、図示していないが、電源スイッチ、ガスバーナ２を点火及び消火させるための指令情報（例えば、静電容量式などのタッチスイッチの電気信号による指令情報）を制御装置４に送る点消火キー、ガスバーナ２の燃焼量を調節するための指令情報を制御装置４に送るバーナ火力調整キー等が設けられている。
【００１７】
さらに、操作部３３ｂには、五徳３１の上に調理容器Ａが無い状態でもガスバーナ２を点火させることができるようにする解除キーを設けており、解除キーの操作により、使用者の意思で五徳３１の上に調理容器Ａを置かない状態でもガスバーナ２を点火させることができるようになっている。
【００１８】
ガスバーナ２は、図２に示すように、バーナ部２１と、このバーナ部２１にガス燃料と空気との混合ガスを供給する混合管２２とを備える。
混合管２２は、上流側が図示しない器具栓に接続され、下流側が上下方向に延びる内管２２ａと外管２２ｂで形成したドーナツ状の環状パイプに形成されている。
【００１９】
バーナ部２１は、混合管２２を構成する外管２２ｂの内側に嵌合される円筒状のバーナヘッド２１ａと、バーナヘッド２１ａの内壁と混合管２２を構成する内管２２ａの外周面との間に形成される環状の上部開口部を覆い、中心部に開口を有するバーナキャップ２１ｂとから構成されている。バーナヘッド２１ａの上部外周には多数の炎孔が形成されて、バーナヘッド２１ａの内壁と混合管２２の内管２２ａの外周面との間に形成される空間を流れる混合ガスが炎孔から排出される。バーナヘッド２１ａの周囲に図示しない点火電極及び炎検知器が外付けされている。
【００２０】
又、図１及び図２に示すように天板３３に形成した開口部３３ａには、中心部にバーナ部２１が挿通される孔３４ａを有するバーナリング３４が配置される。このバーナリング３４は、天板３３の開口部３３ａに嵌め合わされるように設置される。
五徳３１は、バーナリング３４の外周縁に着脱可能に嵌められ、五徳３１の上端の高さは、バーナリング３４に装着したときにガスバーナ２のバーナキャップ２１ｂよりも高くなるように形成されている。
【００２１】
又、ガスバーナ２における混合管２２の内管２２ａの内方には、調理容器Ａの底部温度を検出する温度センサ５を兼ね備え、五徳３１上に調理容器Ａが配置されているか否かを検出する調理容器検知手段６を設けている。
【００２２】
調理容器検知手段６は、調理容器Ａの底部に接触させる接触体６５を有するヘッド部６３と、調理容器が載置されずヘッド部６３が開放状態の時にオン状態となりヘッド部６３が下方に押圧されることによりオフ動作する第１スイッチ７１と、ヘッド部６３が下方に押圧されることによりオン動作する第２スイッチ７２とを備える。接触体６５には感熱素子５１が内蔵されており、この感熱素子５１により温度センサ５を構成する。
【００２３】
調理容器検知手段６は、コンロ本体部３２内に設ける図示しない支持部材で支持されており、その上端部となるヘッド部６３は、開放状態で五徳３１よりも上方に突出するようになっている。
【００２４】
調理容器検知手段６は、図２及び図３に示すように、バーナ部２１の内方空間に上部が配置されるＬ字状に屈曲した支持パイプ６１と、支持パイプ６１内をパイプ軸方向に摺動可能に配置される２本のリード線６２と、各リード線６２の上端に接続される感熱素子５１が内蔵されたヘッド部６３と、リード線６２の動きを検出する近接スイッチからなる第１スイッチ７１及び第２スイッチ７２とを備える。
【００２５】
各リード線６２は、束ねられた状態で保護チューブ６７によって覆われ、保護チューブ６７と共に支持パイプ６１内を移動する。保護チューブ６７における下方水平部分に対応する箇所には、保護チューブ６７を覆う磁性体６８が装着されている。この磁性体６８は、第１スイッチ７１又は第２スイッチ７２に近接すると、第１スイッチ７１又は第２スイッチ７２をオン動作させるようになっている。
【００２６】
ヘッド部６３は、内筒６４ａと外筒６４ｂとから成るカバー体６４と、内筒６４ａの上端に固定される感熱素子５１が内蔵された上面が円形平面の接触体６５と、この接触体６５と支持パイプ６１の上端との間に介在される接触体６５を上方に付勢するコイルばね６６とから構成される。コイルばね６６の内方に一対のリード線６２が配置される。
【００２７】
接触体６５が、コイルばね６６の付勢力に抗して押し下げられると、支持パイプ６１内に配置される各リード線６２も保護チューブ６７及び磁性体６８と共に押し下げる方向に移動する。そして、接触体６５への押圧が解除されると、コイルばね６６の復帰により、接触体６５、各リード線６２、保護チューブ６７及び磁性体６８が上方に向けて移動する。
【００２８】
また、支持パイプ６１における水平部分の外面近くには、図３に詳記するように、保護チューブ６７に取り付けられる磁性体６８を感知して作動する近接スイッチからなる第１スイッチ７１及び第２スイッチ７２が軸方向にずらして設けられている。第１スイッチ７１及び第２スイッチ７２は、リード線６２を介して制御装置４に接続される。磁性体６８、第１スイッチ７１及び第２スイッチ７２は、ガスバーナ２の熱の影響を受けないようにするために、ガスバーナ２のバーナ部２１から離れた位置に設けられている。
【００２９】
第１スイッチ７１は、図２に示すように、調理容器が載置されずヘッド部６３が開放状態の時の磁性体６８がある位置に対向して設けられる。第１スイッチ７１が磁性体６８と対向している状態では、第１スイッチ７１はこの磁性体６８によりオン状態になっている。そして、図４に示すように、例えば五徳３１上に通常の平底鍋が載置されて調理容器Ａの自重によってコイルばね６６に抗してヘッド部６３が押し下げられて停止すると、即ち、調理容器Ａの底部の位置が五徳３１の上端と略同じ位置になる正常な状態で五徳３１上に調理容器Ａが載置されてヘッド部６３が押し下げられて停止すると、ヘッド部６３の動きに伴い移動した磁性体６８が第１スイッチ７１から離れて第１スイッチ７１はオフ動作する。第１スイッチ７１のオフ動作により、制御装置４は、調理容器Ａが正常な状態で五徳３１上に配置されたと判断して図示しないバルブを開弁してガスバーナ２にガスを供給するように制御し、ガスバーナ２が燃焼可能な状態になる。
【００３０】
第２スイッチ７２は、図５に示すように、例えば五徳３１上に外径が非常に小さい丸底の特殊調理容器Ａ′が載置されて、この特殊調理容器Ａ′の自重によってコイルばね６６に抗してヘッド部６３が五徳３１の上端の位置よりかなり下方の位置まで押し下げられて停止した状態、即ち、特殊調理容器Ａ′の底部が五徳３１よりもかなり低い異常位置になる状態で五徳３１上に特殊調理容器Ａ′が載置されたときに、ヘッド部６３の動きに伴い磁性体６８が移動して停止した位置に対向して設けられる。磁性体６８が、第１スイッチ７１を通過して、第２スイッチ７２まで移動したとき、第１スイッチ７１は、磁性体６８が通過することによりオフ状態になり、第２スイッチ７２がオン動作する。第２スイッチ７２がオン動作すると、制御装置４は、特殊調理容器Ａ′が異常な状態で五徳３１上に配置されたと判断して、図示しないバルブを閉弁状態にしてガスバーナ２へのガスの供給を遮断するように制御し、ガスバーナ２は点火できない状態になる。
【００３１】
なお、本実施形態１のガスコンロ１ａは、ヘッド部６３、リード線６２、保護チューブ６７、磁性体６８により本発明の移動体を構成している。
【００３２】
また、五徳３１上に調理容器Ａが載せられると、接触体６５が調理容器Ａの底部に当接し、接触体６５に内蔵される温度センサ５の感熱素子５１に調理容器Ａの底部温度が伝熱される。感熱素子５１からリード線６２を介して制御装置４に温度検出結果が出力され、制御装置４は、温度センサ５の温度検出結果に基づいてガスバーナ２の火力を調整する制御を行なう。
【００３３】
このように制御装置４は、第１スイッチ７１がオン状態からオフ動作し、第２スイッチ７２もオフ状態である場合には、五徳３１上に正常な状態で調理容器Ａが載置されたと判断して、ガスバーナ２にガスを供給し、点火電極を火花放電させることによりガスバーナ２を点火させるように制御する。また、制御装置４は、第１スイッチ７１がオン状態で第２スイッチ７２がオフ状態の場合には、解除キーが入力されていないかぎり、五徳３１上に調理容器Ａが無いと判断してガスバーナ２を点火させないようにバルブを閉弁してガスバーナ２へのガス供給を遮断するように制御する。又、五徳３１上に調理容器が配置されていても第２スイッチ７２がオン動作したときは、特殊調理容器Ａ′が五徳３１上に異常な状態で配置されたと判断し、ガスバーナ２を点火させないようにガスバーナ２へのガス供給を遮断するように制御する。
【００３４】
本実施形態１に係るガスコンロ１ａによれば、外径の小さい丸底鍋などの特殊調理容器Ａ′を五徳３１上に載置したときに、ヘッド部６３を五徳３１の上端からかなり低い位置に押し下げてしまう場合には、調理容器検知手段６の第２スイッチ７２がオン動作して、制御装置４によりガスバーナ２へのガス供給が遮断されるので、ガスバーナ２は点火されることはなく、燃焼不良が生じることもなく、バーナ部２１の周囲に熱が篭ってしまうことも阻止できる。
【００３５】
つまり、調理容器Ａが正常な状態で五徳３１上に配置された場合には、第１スイッチ７１及び第２スイッチ７２がオフ状態となるので、制御装置４は、ガスバーナ２にガスを供給する制御を行なって、ガスバーナ２を燃焼可能な状態にする。その結果、特殊調理容器Ａ′が異常な状態で五徳３１上に配置されたときは、ガスバーナ２の点火は阻止され、通常の調理容器Ａが正常な状態で配置されたときのみ、ガスバーナ２が点火されるので、調理容器Ａの底部温度を検出する温度センサ５は誤作動を起こすようなことはなく、調理容器Ａをガスバーナ２の燃焼により適正な温度で加熱することができる。
【００３６】
また、本実施形態１に係るガスコンロ１ａは、図６に示すように、天板３３の水洗いによる清掃を行なう場合には、ガスバーナ２のバーナキャップ２１ｂ及びバーナヘッド２１ａを取り外し、混合管２２を覆うようにバーナリング３４に蓋体となる保護キャップ８を装着することができる。
【００３７】
この保護キャップ８は、上面が球面状になっており、下面側に凹部８１が形成されており、保護キャップ８をバーナリング３４に装着したとき、この凹部８１の上部が調理容器検知手段６を構成するヘッド部６３を押し下げるように構成されている。この凹部８１におけるヘッド部６３の接触体６５と対向する部分が押圧部８２となり、押圧部８２が接触体６５に接触して、ヘッド部６３が押し下げられて、磁性体６８が第２スイッチ７２に対向する位置まで移動して、第２スイッチ７２がオン動作する。
【００３８】
このように、天板３３を水で洗い流して清掃する場合に、バーナキャップ２１ｂ及びバーナヘッド２１ａを取り外しても保護キャップ８をバーナリング３４に装着するので、天板３３の開口部３３ａから水や異物が入り込むのを阻止できる。さらに、保護キャップ８の装着によりヘッド部６３は第２スイッチ７２がオン動作するまで押し下げられるので、保護キャップ８を装着しているときに、誤ってガスバーナ２が点火してしまうのを阻止することもできる。
【００３９】
(実施形態２)
また、本発明に係る実施形態２のガスコンロ１ｂは、図７及び図８に示すように、コンロ本体部３２に、天板３３と略同じ面積を有する蓋体９を、ヒンジ９５により揺動可能に取り付けている。蓋体９は、天板３３をガスバーナ２及び五徳３１と共に覆うように、コンロ本体部３２の後方部に取り付けている。
【００４０】
実施形態２に係るガスコンロ１ｂは、蓋体９及びヒンジ９５の構成を除き、他の構成部材は、実施形態１と同じ構成であるので、同じ構成部分については、同じ符号とし、説明を省略する。
【００４１】
蓋体９は、天板３３より広い面積を有する平面部９１と、この平面部９１の前後両端部に天板３３側に向けて屈曲する前方屈曲部９２及び後方屈曲部９３とを有する。
後方屈曲部９３にヒンジ９５が取り付けられており、平面部９１を天板３３に対して略垂直になるように配置した状態と、天板３３と平行な状態に配置した状態とに揺動できるようになっている。
【００４２】
さらに、平面部９１における天板３３との対向面には、蓋体９で天板３３を覆ったときに、調理容器検知手段６のヘッド部６３に接触し、このヘッド部６３を第２スイッチ７２がオン動作する位置まで押し下げるピン状の押圧部９４が突設されている。なお、押圧部９４は、図７に示すように常時突設させた状態にすることもできるし、蓋体９を開いているときに押圧部９４が押圧部９４の自重により根元部から折り曲がり、蓋体９を閉じたときに突設状態になるように構成することもできる。
【００４３】
そして、ガスコンロ１ｂを使用するときは、蓋体９を開き、ガスコンロ１ｂを使用しないときには、蓋体９をガスバーナ２を覆うようにして閉めることにより、この蓋体９を調理台として使用できるので調理スペースを広くすることができる。さらに、この蓋体９により、天板３３の開口部３３ａから水、油、調理くずなどが入り込むのを阻止することができる。
【００４４】
（その他）
なお、本発明は、上記実施形態に限定されるものでなく本発明の範囲内で種々の変更を施すことができる。
第１スイッチ７１及び第２スイッチ７２を近接スイッチにより構成する場合、第１スイッチは、調理容器が五徳上に配置されていないときにオフ状態で、五徳上に底面が正常な状態の調理容器が配置されると底面によりヘッド部(移動体)が押し下げられて磁性体によりオン動作するようにしてもよい。この場合、制御装置は、第１スイッチがオン動作したときにガスバーナを燃焼可能状態とし、第２スイッチがオン動作したときにガスバーナへのガス供給を遮断するように制御することができる。
本実施形態では、第１スイッチ７１及び第２スイッチ７２は近接スイッチにより構成したが、マイクロスイッチにより構成することもできる。
さらに、前記実施形態１では、保護キャップ８がガスバーナ２のバーナキャップ２１ｂ及びバーナヘッド２１ａを取り外した状態で装着されたが、保護キャップ８はバーナキャップ２１ｂ及びバーナヘッド２１ａも覆うように構成してもよい。この場合の保護キャップ８はバーナキャップ２１ｂの上面と略同じ高さになるように押圧部を形成する。
【符号の説明】
【００４５】
１ａ,１ｂ  ガスコンロ
２  ガスバーナ
４  制御装置
５  温度センサ
６  調理容器検知手段
８  保護キャップ
９  蓋体
２１  バーナ部
３１  五徳
６１  支持パイプ
６２  リード線
６３  ヘッド部
６５    接触体
６６    コイルばね
６７  保護チューブ
６８  磁性体
７１  第１スイッチ
７２  第２スイッチ
８１  凹部
８２  押圧部
９１  平面部
９２  前方屈曲部
９３  後方屈曲部
９４  押圧部
９５  ヒンジ
Ａ，Ａ′  調理容器
【図１】
2012083085.tif 000003
【図２】
2012083085.tif 000004
【図３】
2012083085.tif 000005
【図４】
2012083085.tif 000006
【図５】
2012083085.tif 000007
【図６】
2012083085.tif 000008
【図７】
2012083085.tif 000009
【図８】
2012083085.tif 000010